(57)【要約】【課題】製造コストが安く且つ包装や運送時に体積ができるだけ小さい紙挟みを提供する。【解決手段】プラスチック紙挟み２０は、プラスチック板２１、二つの挟み部２２および吊り部２３を有し、プラスチック材質で一体に射出成型される。プラスチック板２１は矩形である。はさみ部２２はプラスチック板２１の頂端の左右両側に形成され、Ｕ字形孔２２１とＵ字形孔２２１をふさぐ小片２２２とを有する。小片２２２の一端は適当な弾性を持つ連接端２２２１を形成し、小片２２２の別端は自由端２２２２を形成し、自由端２２２２とＵ字孔２２１との間に挟み口２５が形成される。挟み口２５に紙を差し込み、小片２２２とＵ字孔２２１との空間の連接端２２２１近くまで紙の端を差し込む。すると、小片２２２とプラスチック板２１の間に紙がしっかりと安定する。【選択図】　図３
0003097317.tif 000002
【実用新案登録請求の範囲】
【請求項１】
プラスチック材質で射出成形されるプラスチック板と、予定数のはさみ部とを備える紙挟みにおいて、
前記はさみ部は前記プラスチック板の上表面の上端に近い予定位置に設置され、
前記はさみ部は予定形状の孔と、前記孔に被さる小片とで構成され、前記小片は適当な弾性を持ち、前記プラスチック板と連続する連接端と自由端を持ち、前記自由端は前記孔との間に挟み口を形成し、前記挟み口は数枚の紙をさしこめる高さを持ち、前記はさみ部と前記プラスチック板との間に扶持力が発生して、複数の紙文書をしっかりと狭めるように構成されていることを特徴とするプラスチック紙挟み。
【請求項２】
前記プラスチック板はその頂端縁に外に突出した耳と前記耳の中央に設けた吊り孔とで構成される吊り部を持つことを特徴とする請求項１記載のプラスチック紙挟み。
【請求項３】
前記挟み部の前記小片の前記自由端はやや上に響曲して、それで紙を容易に直接さしこめられ、前記小片の下表面は前記プラスチック板の上表面よりやや低く形成されていることを特徴とする請求項１記載のプラスチック紙挟み。
【考案の詳細な説明】
【０００１】
【考案の属する技術分野】
本考案は紙をその板の上に置いて挟んでおく紙挟みに関する。
【０００２】
【従来の技術】
図１と図２が示す従来の紙挟み１０は一プラスチック板１１と、この板の頂端の中央部に設置されてる一はさみ具１２とで構成されている。その中のはさみ具１２は一台板１２１と一ひねりスプリング１２２と一はさみ板１２３とで形成され、ひねりスプリング１２２は合板１２１とはさみ板１２３との間に設置されて、このひねりスプリング１２２はひねり弾力を紙を挟み付ける挟み板１２に与える。更に合板１２１は予定の二箇所に孔１２１１をあける。更にプラスチック板１１にこの孔１２１１と相応する二孔１１１をあけて、鳩目１３でこれらの孔を固く連結する。それで使用者がはさみ具１２のはさみ板１２３を指で押せば、挟み板１２３とプラスチック板１１との間に一挟み開き口を形成するので、紙文書をその開き口の中にさし入れ、はさみ板１２３を放せば、紙がその中にかたく挟まれ、紙の上に字を書いたり絵をかくことができる。
【０００３】
【考案が解決しようとする課題】
上述の従来の紙挟み１０の構造は次のような欠点がある。
１．その製造過程に各別にプラスチック板１１と挟み板１２３とを作り、又挟み板１２は一台板１２１と一ひねりスプリング１２２と一挟み板１２３とで組み合わせて作る。又、合板１２１とプラスチック１１とに相応する孔１２１１、１１１を穿孔しなければならない。更に孔１２１１、１１１を合わせて鳩目で固定する必要があるから、その製造過程が複雑であり、従ってそのコストが高く付いて、経済収益が悪い。
【０００４】
２．はさみ具１２の体積が比較的大きくボール箱に入れて包装する時に空間を大きく取るので、包装費と運賃が高くつく。
それで本案は上述の欠点改善して、製造コストが安く且つ包装や運送時に体積ができるだけ小さい紙挟みを提供することをその課題とする。
【０００５】
【課題を解決するための手段】
上述の従来の紙挟みの欠点を改善するために、本案は紙をその上に置く一プラスチック板を射出成形で作り、このプラスチック板の頂端近くの左右に紙をさしこんで弾性でおさえて狭める二はさみ部を一体に形成し、更に頂端部の中央部から外に突き出る吊り孔を持つ一耳を一体に形成して紙挟みを壁等に吊るして置けるようにする。又はさみ部はプラスチック板にあけたＵ形の孔と、この孔に被さる一小片とで構成され、小片の一端がプラスチック板と連続し、別端はその末端をやや上に響曲させて自由端となり、下の孔との間に一挟み口を形成し、紙はこの挟み口から小片の下の孔に連接端までさしこまれ、小片の弾性で紙を数枚挟んで安定させるように構成する。それで本案のプラスチック紙挟みの製作過程は射出成形で一度に板と二個の挟み部と一吊り部が同時に形成されてそのコストが安くつき、且つその挟み部の高さも低く、それで包装や運送にかかる費用が減少できる。本案の紙挟みはその二個のはさみ部で数枚までの紙を容易にさしこんで狭める。又一吊し部があるので壁等に吊るして置ける。又その体積が従来のものより小さくなってるので、包装や運送にかかる費用が相当節約できる。
【０００６】
【考案の実施の形態】
以下、本考案の実施例を図面に基づいて説明する。
図３と図４とは本案のプラスチック紙挟みの第一実施例を示し、プラスチック材質で一体に射出成型作業で作られてるプラスチック板２１と、二個の挟み部２２と一吊り部２３とで構成されている。
【０００７】
プラスチック板２１は矩形で適当なサイズを持つ。
はさみ部２２はプラスチック板２１の頂端の左右両側に各一個形成され、一Ｕ字形孔２２１とこの孔ふさいで形成されている一小片２２２とで構成され、この小片２２２の一端は適当な弾性を持つ連接端２２２１を形成し、又その別端は一自由端２２２２を形成して、この自由端２２２２はＵ字孔２２１との間に一挟み口２５を形成している。それでこの挟み口２５はある予定数の紙をさしこませ、小片２２２と孔２２１の間の空間に連接端２２２１の近くまで紙の前端を挟んでおいて、小片２２２とプラスチック板２１の間の挟力で紙をしっかりと安定される。
【０００８】
更にプラスチック板２１の頂端の中央部に外に突出した一耳２３１を形成し、この耳２３１の中央に一吊り孔２３２を形成して、紙挟みを壁に吊して置くことができる。
【０００９】
上述の第一実施例について特別に強調したいことは、図４に示すように、はさみ部２２の自由端２２２２はやや上に響曲した形状にしている点で、それで紙文書を直接その直接その下にある挟み口２５にさしこんで、小片２２２に狭まれて安定し、さしこみ動作が速くできる。又小片２２２の下表面はプラスチック板２１の上表面よりもやや低く形成して、それで紙文書に対する扶持力を増加させることができる。
【００１０】
次に図５は本案のプラスチック紙挟みの第二実施例を示し、第一実施例と同じ一プラスチック板２１と、その頂端に近い中央の所に一ハート形の孔２２１を形成し、この孔２２１の上に被さる一ハート形小片２２２を附加し、この小片２２２はその上端がある適当な弾性を持つ一連接端２２２１に形成し、プラスチック板２１と連続していて、それで一扶持力を発生して、複数の紙文件を安定に挟むことができる。
【００１１】
次に図６は本案のプラスチック紙挟みの第三実施例を示し、第一と第二実施例と異なる点ははさみ部２２で、このはさみ部２２はプラスチック板２１の頂端に近い中央の所に矩形の一孔２２１を形成し、又この孔２２１の上に被さった一小片２２２を附加し、上端がプラスチック板２１と連続する一連接端と、下端に一自由端２２２２を形成して、この自由端２２２２の末端はやや上に響曲し、紙文書を容易にその下の挟み口にさしこめられるようにし、小片２２２の中央部をやや下の方に響曲させて、紙文書を安定に狭めるようにする。
【００１２】
更に図７は本案のプラスチック紙挟みの第四実施例を示し、上述の各実施例と異なる点はやはり挟み部２２で、このはさみ部２２はプラスチック板２１の頂端に近い中央に矩形の一孔２２１を形成し、この孔２２１に被さる一小片２２２を形成して、その上端はプラスチック板２１と連続し、その下端は自由端２２２２を形成してその末端が細長い突出カーブ状縁２２２３を持って紙文書と接触して挟むようにする。
【００１３】
次に図８は本案のプラスチック紙挟みの第五実施例を示し、上述の各実施例と異なる点はやはりはさみ部２２で、このはさみ部２２はプラスチック板２１の頂端の左右両側に各一個形成され、各はさみ部２２は横向き一Ｕ形孔２２１とこの孔２２１を被さる一小片２２２とで構成され、横向きの挟み口を形成して紙文書を挟む。
【００１４】
更に図９は本案のプラスチック紙挟みのプラスチック板２１の上表面に適当な箇所に一体に成形した一ペン挟み２１を更に附設した例を示し、このペン挟み２４はプラスチック板２１の上表面に突出して置かれる二はさみ部２４１と、この挟み部２４１の内側面に形成されるカーブ状の一挟み面２４１１を持ち、更に二はさみ部２４１の間に設けられる一中空溝２４２を持ち、それで二はさみ部２４１の底部連接端は適当な弾性を具備して、二はさみ部２４１の問にさしこまれるペンはその弾性で安定して扶持されるし、又挟まれたペンを取り出すのも容易である。更に図１０はこのペン挟み２４を一挟み部２２の小片２２２の上表面に設置した例を示した。
【００１５】
【考案の効果】
本案の一体成形のプラスチック紙挟みは下記の効果を持つ。
１．プラスチック材質で一体に成型して製作されて、別々に単独に作って組み合せないから、製作が相当簡単で、そのコストを大幅に切り下げられて、経済収益が良好である。
【００１６】
２．はさみ部の高さはプラスチック板の上表面より少し高いだけなのでその包装したボール箱の体積が減少されて、包装費と運賃とが相当節約できる。
３．挟み部は適当な弾性がある連接端があり、この連接端の弾性で必要な挟持力を提供して、その小片の面積で紙を安定して狭められる。
【図面の簡単な説明】
【図１】従来のプラスチック紙挟みの斜視図である。
【図２】従来のプラスチック紙挟みの側面断面図である。
【図３】本案のプラスチック紙挟みの第一実施例の斜視図である。
【図４】本案のプラスチック紙挟みの第一実施例の側面断面図である。
【図５】本案のプラスチック紙挟みの第二実施例の斜視図である。
【図６】本案のプラスチック紙挟みの第三実施例の斜視図である。
【図７】本案のプラスチック紙挟みの第四実施例の斜視図である。
【図８】本案のプラスチック紙挟みの第五実施例の斜視図である。
【図９】本案のプラスチック紙挟みに一ペン挟みを付設した状況を示す斜視図である。
【図１０】本案のプラスチック紙挟みに一ペン挟みを別の場所に付設した状況を示す斜視図である。
【符号の説明】
２０　　　プラスチック紙挟み
２１　　　プラスチック板
２２　　　はさみ部
２３　　　吊り部
２４　　　ペン挟み
２５　　　挟み口
２２１　　　孔
２２２　　　小片
２３１　　　耳
２３２　　　吊り穴
２４１　　　はさみ部
２４２　　　中空溝
２２２１　　　連接端
２２２２　　　自由端
２２２３　　　カーブ状縁
２４１１　　　挟み面
【図１】
0003097317.tif 000003
【図２】
0003097317.tif 000004
【図３】
0003097317.tif 000005
【図４】
0003097317.tif 000006
【図５】
0003097317.tif 000007
【図６】
0003097317.tif 000008
【図７】
0003097317.tif 000009
【図８】
0003097317.tif 000010
【図９】
0003097317.tif 000011
【図１０】
0003097317.tif 000012